(57)【特許請求の範囲】
【請求項１】
複数の横フィンと、横フィンの後部側に設けられ、かつ互いに連動して前記横フィンの軸と直交する軸を中心に回動する複数の縦フィンとを備えたルーバにおいて、前記複数の縦フィンを回動する軸は、複数の縦フィンの中で両端に位置する第１の縦フィンの中心に設けられた第１の軸と、前記第１の縦フィン以外の縦フィンの最後端に設けられた第２の軸とから構成されていることを特徴とするルーバ。
【請求項２】
前記複数の縦フィンを連動させながら左右どちらか一方側に回動させて、前記複数の縦フィンを限度まで傾斜させた場合、前記第１の縦フィンのうち左右どちらか一方側に位置する縦フィンと、これと隣り合う第２の縦フィンとの間の空気吹出口を空調風が吹き出ないように閉塞する一方、それ以外の縦フィン間の空気吹出口を空調風が吹き出るように開口させることを特徴とする請求項１に記載のルーバ。
【発明の詳細な説明】
【技術分野】
【０００１】
この発明はルーバに係り、特に縦フィンによって空調風の吹き出す方向を規制した際に、ユーザが指示した方向とは異なる方向に吹き出すことを防止するルーバに関するものである。
【背景技術】
【０００２】
車両などに搭載される空調装置（「ベンチレータ」とも換言可能である。）においては、車内へ空調風（単に「風」ともいう。）を吹き出すためにルーバを配設している。
そして、このルーバに配設した複数の横フィンや複数の縦フィンをユーザが操作し、空調風の吹き出し方向をユーザの指示した任意の方向に指向させている。
【０００３】
【特許文献１】実開昭６２−９１１４４号公報
【特許文献２】実開昭６２−１８４３４２号公報
【発明の開示】
【発明が解決しようとする課題】
【０００４】
ところで、従来のルーバにおいて、上述した特許文献１及び特許文献２には、ルーバの側面部分に位置する壁の形状を工夫し、縦フィンを斜めに向けた時に、壁と、この壁から最も近い縦フィンとの間の風の直進を防ぎ、斜め方向の風向きを妨げないようにする旨の構成が開示されている。
しかし、ルーバの空気吹出口と縦フィンとの間の距離が大きくなってくると、上記の「斜め方向の風向きを妨げない」という効果を発揮しずらくなるという不都合がある。
その理由としては、縦フィンを斜めに向けた時に、壁から最も近い縦フィンと、２番目に近い縦フィンとの間を通る風が壁に当たって直進する風が発生するためである。
【０００５】
すなわち、ルーバは、図４（ａ）に示す如く、ルーバケース１２内の前面部位に、図示しない複数の横フィンと、横フィンの後部側に設けられ、かつ互いに連動して前記横フィンの軸と直交する軸を中心に回動する複数の縦フィン１５とを備えている。
このとき、複数の縦フィン１５は、図４（ａ）に示す如く、例えば図４（ａ）の左側から右側に向かって配設される４本の第１〜第４縦フィン１５ａ、１５ｂ、１５ｃ、１５ｄからなる。
また、これらの第１〜第４縦フィン１５ａ、１５ｂ、１５ｃ、１５ｄには、図４（ａ）に示す如く、同一の直線上に配列され、かつ夫々回動する軸である第１〜第４軸１６ａ、１６ｂ、１６ｃ、１６ｄを夫々設けている。
更に、前記ルーバのルーバケース１２内に形成される、空調風を吹き出すための空気吹出口１７は、前記ルーバケース１２の左側と前記第１縦フィン１５ａとの間に形成される第１空気吹出口１７ａと、第１縦フィン１５ａと前記第２縦フィン１５ｂとの間に形成される第２空気吹出口１７ｂと、第２縦フィン１５ｂと前記第３縦フィン１５ｃとの間に形成される第３空気吹出口１７ｃと、第３縦フィン１５ｃと前記第４縦フィン１５ｄとの間に形成される第４空気吹出口１７ｄと、第４縦フィン１５ｄと前記ルーバケース１２の右側との間に形成される第５空気吹出口１７ｅとからなる。
このため、図４の左側に空調風を指向させるべく、前記第１〜第４軸１６ａ、１６ｂ、１６ｃ、１６ｄを右回り方向に回動させて前記ルーバの第１〜第４縦フィン１５ａ、１５ｂ、１５ｃ、１５ｄによって空調風の吹き出す方向を規制した際に、図４（ｂ）に示す如く、空調風ｆ１及び空調風ｆ２は、図４の右上側から左下側に指向する斜め方向となり、空調風ｆ１は前記第２空気吹出口１７ｂを通過する一方、空調風ｆ２は前記第３空気吹出口１７ｃを通過する。
しかし、第２空気吹出口１７ｂを通過した空調風ｆ１は、前記ルーバケース１２の内面に衝突し、直進方向（図４の下方向）に指向してしまう。
この結果、図４（ｂ）の実線で示す如く、直進方向の空調風ｆ１と斜め方向の空調風ｆ２とが合流して空調風ｆ３となってしまい、前記第１〜第４縦フィン１５ａ、１５ｂ、１５ｃ、１５ｄの規制によって向けられるはずの空調風が斜め方向に指向しないという不都合が生ずるものである。
【０００６】
この発明の目的は、縦フィンによって吹き出す方向を規制される空調風は、ユーザが指示した方向とは異なる方向に吹き出すことのないルーバを実現することにある。
【課題を解決するための手段】
【０００７】
そこで、この発明は、上述不都合を除去するために、複数の横フィンと、横フィンの後部側に設けられ、かつ互いに連動して前記横フィンの軸と直交する軸を中心に回動する複数の縦フィンとを備えたルーバにおいて、前記複数の縦フィンを回動する軸は、複数の縦フィンの中で両端に位置する第１の縦フィンの中心に設けられた第１の軸と、前記第１の縦フィン以外の縦フィンの最後端に設けられた第２の軸とから構成されていることを特徴とする。
【発明の効果】
【０００８】
この本発明によれば、縦フィンを最も左右方向に向けた場合でも、縦フィンによって吹き出す方向を規制される空調風は、ルーバケースに当たることなく縦フィンによって定められた方向に吹き出させることが可能である。これにより、ユーザが指示した方向とは異なる方向の空調風がルーバから吹き出すことを防ぐことができる。
【発明を実施するための最良の形態】
【０００９】
以下図面に基づいてこの発明の実施例を詳細に説明する。
【実施例】
【００１０】
図１〜図３はこの発明の実施例を示すものである。
図２及び図３において、１は図示しない空調装置（「ベンチレータ」とも換言可能である。）によって、車内へ空調風（単に「風」ともいう。）を吹き出すために設けられるルーバである。
このルーバ１は、図２及び図３に示す如く、ルーバケース２と、このルーバケース２の前面を覆うカバー３と、このルーバケース２に設けられる複数の横フィン４と、この横フィン４の後部側に設けられ、かつ互いに連動して前記横フィン４の軸と直交する軸を中心に回動する複数の縦フィン５とを備えている。
つまり、前記複数の横フィン４は、図２に示す如く、前記ルーバケース２に取り付けられている一方、空調風の吹き出す方向を上下方向に規制可能なように、水平方向に延びる軸（図示せず）を中心として回動可能に設けられる。
また、前記複数の縦フィン５は、図１〜図３に示す如く、例えば図１の左側から右側に向かって配設される４本の第１〜第４縦フィン５ａ、５ｂ、５ｃ、５ｄからなる。
このとき、これらの第１〜第４縦フィン５ａ、５ｂ、５ｃ、５ｄには、図１（ａ）に示す如く、回動可能な第１〜第４軸６ａ、６ｂ、６ｃ、６ｄを設けている。
更に、前記ルーバ１のルーバケース２内には、空調風を吹き出すための空気吹出口７が形成される。
このとき、空気吹出口７は、前記ルーバケース２の左側と前記第１縦フィン５ａとの間に形成される第１空気吹出口７ａと、第１縦フィン５ａと前記第２縦フィン５ｂとの間に形成される第２空気吹出口７ｂと、第２縦フィン５ｂと前記第３縦フィン５ｃとの間に形成される第３空気吹出口７ｃと、第３縦フィン５ｃと前記第４縦フィン５ｄとの間に形成される第４空気吹出口７ｄと、第４縦フィン５ｄと前記ルーバケース２の右側との間に形成される第５空気吹出口７ｅとからなる。
【００１１】
そして、前記複数の縦フィンである第１〜第４縦フィン５ａ、５ｂ、５ｃ、５ｄを夫々回動する第１〜第４軸６ａ、６ｂ、６ｃ、６ｄは、第１〜第４縦フィン５ａ、５ｂ、５ｃ、５ｄの中で両端に位置する第１の縦フィンの中心に設けられた第１の軸と、前記第１の縦フィン以外の縦フィンの最後端に設けられた第２の軸とから構成されている。
詳述すれば、複数の縦フィンが４本の第１〜第４縦フィン５ａ、５ｂ、５ｃ、５ｄからなる場合に、「両端に位置する第１の縦フィン」とは、図１（ａ）の左側に位置する第１縦フィン５ａと図１（ａ）の右側に位置する第４縦フィン５ｄとが該当する。
このため、「両端に位置する第１の縦フィン」である第１縦フィン５ａの中心に、第１の軸である第１軸６ａを設ける。
そして、「両端に位置する第１の縦フィン」である第４縦フィン５ｄの中心にも、第１の軸である第４軸６ｄを設ける。
また、「前記第１の縦フィン以外の縦フィン」とは、図１（ａ）の左側から２番目に位置、つまり、前記第１縦フィン５ａと隣り合う第２縦フィン５ｂと図１（ａ）の右側から２番目に位置、つまり、前記第４縦フィン５ｄと隣り合う第３縦フィン５ｃとが該当する。
このため、「前記第１の縦フィン以外の縦フィン」である第２縦フィン５ｂの最後端に、第２の軸である第２軸６ｂを設ける。
そして、「前記第１の縦フィン以外の縦フィン」である第３縦フィン５ｃの最後端には、第２の軸である第３軸６ｃを設ける。
つまり、前記第１〜第４軸６ａ、６ｂ、６ｃ、６ｄの配列を、図１に示す如く、第１〜第４縦フィン５ａ、５ｂ、５ｃ、５ｄの後端側に突出する凸形状とするものである。
【００１２】
また、前記ルーバ１において、前記複数の縦フィンである第１〜第４縦フィン５ａ、５ｂ、５ｃ、５ｄは、両端に位置する第１の縦フィンと、第１の縦フィンと隣り合う第２の縦フィンとが、縦フィンを左右どちらかに限度まで傾斜させた場合において、両縦フィン間から空調風が吹き出せない程度に近接すべく構成されている。
詳述すれば、「両端に位置する第１の縦フィン」とは、図１（ａ）の左側に位置する第１縦フィン５ａと図１（ａ）の右側に位置する第４縦フィン５ｄとが該当する。
また、「第１の縦フィンと隣り合う第２の縦フィン」とは、図１（ａ）の左側から２番目に位置、つまり、前記第１縦フィン５ａと隣り合う第２縦フィン５ｂと図１（ａ）の右側から２番目に位置、つまり、前記第４縦フィン５ｄと隣り合う第３縦フィン５ｃとが該当する。
そして、図１（ｂ）に示す如く、前記第１〜第４縦フィン５ａ、５ｂ、５ｃ、５ｄを、例えば右回り方向に限度まで回動させた場合に、第１縦フィン５ａの吹出方向側に位置する他面５ａ−２と第２縦フィン５ｂの吹出方向と逆側に位置する一面５ｂ−１とを近接させる。
このときの最適状態としては、前記第１縦フィン５ａの他面５ａ−２と前記第２縦フィン５ｂの一面５ｂ−１とを接触させ、第１縦フィン５ａと第２縦フィン５ｂとの間に形成される前記第２空気吹出口７ｂを閉塞し、第１、第２縦フィン５ａ、５ｂ間からの空調風の吹き出しを阻止する構成とするものである。
【００１３】
次に作用を説明する。
【００１４】
先ず、図１の左側に空調風を指向させるべく、前記ルーバ１の第１〜第４縦フィン５ａ、５ｂ、５ｃ、５ｄによって吹き出す方向を規制する際には、図１（ｂ）に示す如く、前記第１〜第４軸６ａ、６ｂ、６ｃ、６ｄを右回り方向に回動させ、前記第１縦フィン５ａの他面５ａ−２と前記第２縦フィン５ｂの一面５ｂ−１とを近接させて第１、第２縦フィン５ａ、５ｂ間から空調風が吹き出せない程度とする。
つまり、前記第１縦フィン５ａの他面５ａ−２と前記第２縦フィン５ｂの一面５ｂ−１とを近接させ、第１縦フィン５ａと第２縦フィン５ｂとの間に形成される第１、第２縦フィン５ａ、５ｂ間の前記第２空気吹出口７ｂを閉塞する。
そして、前記ルーバ１の第１〜第４縦フィン５ａ、５ｂ、５ｃ、５ｄによって吹き出す方向を規制した際に、図１（ｂ）に示す如く、空調風Ｆ１は、第１、第２縦フィン５ａ、５ｂ間の第２空気吹出口７ｂを通過することができないため、前記第１、第２縦フィン５ａ、５ｂによって遮断される。
また、空調風Ｆ２は、前記第３縦フィン５ｃの一面５ｃ−１に当たり、図１（ｂ）において右上側から左下側に指向する斜め方向となって、第２縦フィン５ｂと前記第３縦フィン５ｃとの間の第３空気吹出口７ｃを通過する。
このとき、空調風Ｆ２は、空調風Ｆ１の影響を受けることがないため、空調風Ｆ２の指向方向は、前記第３縦フィン５ｃによって規制される斜め方向となる。
【００１５】
これにより、前記第１〜第４縦フィン５ａ、５ｂ、５ｃ、５ｄを最も左右方向に向けた場合でも、第１〜第４縦フィン５ａ、５ｂ、５ｃ、５ｄによって吹き出す方向を規制される空調風は、ルーバケース２に当たることなく第１〜第４縦フィン５ａ、５ｂ、５ｃ、５ｄによって定められた方向に吹き出させることが可能である。
そして、ユーザが指示した方向とは異なる方向の空調風がルーバ１から吹き出すことを防ぐことができ、ルーバ１の信頼性の向上に寄与し得る。
【図面の簡単な説明】
【００１６】
【図１】この発明の実施例のルーバを示し、（ａ）は図３のＡ−Ａ線による縦フィンを調整する前の概略断面図、（ｂ）は図３のＡ−Ａ線による縦フィンを調整した後の概略断面図である。
【図２】ルーバの斜視図である。
【図３】カバーと横フィンを取り外した状態の斜視図である。
【図４】この発明の従来技術のルーバを示し、（ａ）は縦フィンを調整する前の概略断面図、（ｂ）は縦フィンを調整した後の概略断面図である。
【符号の説明】
【００１７】
１  ルーバ
２  ルーバケース
３  カバー
４  複数の横フィン
５  複数の縦フィン
５ａ  第１縦フィン
５ａ−２  他面
５ｂ  第２縦フィン
５ｂ−１  一面
５ｃ  第３縦フィン
５ｃ−１  一面
５ｄ  第４縦フィン
６ａ  第１軸
６ｂ  第２軸
６ｃ  第３軸
６ｄ  第４軸
７  空気吹出口
７ａ  第１空気吹出口
７ｂ  第２空気吹出口
７ｃ  第３空気吹出口
７ｄ  第４空気吹出口
７ｅ  第５空気吹出口
Ｆ１、Ｆ２  空調風
【図１】
0004973941.tif 000002
【図２】
0004973941.tif 000003
【図３】
0004973941.tif 000004
【図４】
0004973941.tif 000005